(57)【要約】  本出願の実施形態は、ＵＥが４Ｇネットワーク又は将来のポスト４Ｇネットワークから３Ｇ又は２ＧネットワークにハンドオーバされるときにＷＤのサービス連続性を確保するためのハンドオーバ方法及びシステム並びにデバイスを提供する。当該方法は、第１の端末により、第２の端末により送信された第１のメッセージを受信するステップであり、第１のメッセージは、測定を開始するよう第１の端末に指示するために使用され、第１の端末は、第２の端末を使用することにより第１の基地局に接続し、第１の基地局は、第１の端末及び第２の端末に現在サービスしている基地局である、ステップと、第１の端末により、第１のメッセージに基づいて測定を実行して第１の測定報告を取得するステップと、第１の端末により、第１の測定報告を第２の端末を使用することにより第１の基地局に送信するステップと、第１の端末により、第２の端末を使用することにより第１の基地局により送信された第２のメッセージを受信するステップであり、第２のメッセージは、第２の基地局の識別子を搬送し、第２の基地局に直接接続するよう第１の端末に指示するために使用される、ステップと、第１の端末により、第２のメッセージに基づいて第２の基地局に直接接続するステップと、を含む。
2020508620.tif 000002
【特許請求の範囲】
【請求項１】
ハンドオーバ方法であって、
第１の端末により、第２の端末により送信された第１のメッセージを受信するステップであり、前記第１のメッセージは、測定を開始するよう前記第１の端末に指示するために使用され、前記第１の端末は、前記第２の端末を使用することにより第１の基地局に接続し、前記第１の基地局は、前記第１の端末及び前記第２の端末に現在サービスしている基地局である、ステップと、
前記第１の端末により、前記第１のメッセージに基づいて測定を実行して第１の測定報告を取得するステップと、
前記第１の端末により、前記第１の測定報告を前記第２の端末を使用することにより前記第１の基地局に送信するステップと、
前記第１の端末により、前記第２の端末を使用することにより前記第１の基地局により送信された第２のメッセージを受信するステップであり、前記第２のメッセージは、前記第２の基地局の識別子を搬送し、前記第２の基地局に直接接続するよう前記第１の端末に指示するために使用される、ステップと、
前記第１の端末により、前記第２のメッセージに基づいて前記第２の基地局に直接接続するステップと、
を含む方法。
【請求項２】
第１の端末により、前記第２の端末により送信された第１のメッセージを受信するステップの前に、当該方法は、
前記第１の端末により、前記第２の端末を使用することにより前記第１の基地局により送信された第３のメッセージを受信するステップであり、前記第３のメッセージは、前記第１の端末の測定イベントを構成するため、かつ前記第１のメッセージを受信した後に測定を開始するよう前記第１の端末に指示するために使用される、ステップ
をさらに含む、請求項１に記載の方法。
【請求項３】
第１の端末により、第２の端末により送信された第１のメッセージを受信するステップは、
前記第１の端末により、前記第２の端末を使用することにより前記第１の基地局により送信された前記第１のメッセージを受信するステップであり、前記第１のメッセージは、前記第１の端末の測定イベントを構成するために使用される、ステップ
を含む、請求項１に記載の方法。
【請求項４】
前記第１の端末の前記測定イベントは第１の測定イベントを含み、前記第１の測定イベントは、前記第１の端末のサービングセルの信号強度が第１の閾値より大きいことを含み、前記第１の閾値は、前記第１の端末の前記サービングセルへのアクセスが許可される閾値であり、前記第１の測定イベントは、前記第１の測定報告を前記第２の端末を使用することにより前記第１の基地局に送信するよう前記第１の端末をトリガするために使用される、請求項２又は３に記載の方法。
【請求項５】
前記第２の基地局は前記第１の基地局と同じである、請求項４に記載の方法。
【請求項６】
ハンドオーバ方法であって、
第２の端末により、第１のメッセージを第１の端末に送信するステップであり、前記第１のメッセージは、測定を開始するよう前記第１の端末に指示するために使用され、前記第１の端末は、前記第２の端末を使用することにより第１の基地局に接続し、前記第１の基地局は、前記第１の端末及び前記第２の端末に現在サービスしている基地局である、ステップと、
前記第２の端末により、前記第１の端末により送信された第１の測定報告を受信するステップと、
前記第２の端末により、前記第１の測定報告を前記第１の基地局に送信するステップと、
前記第２の端末により、前記第１の基地局により送信された第２のメッセージを受信するステップであり、前記第２のメッセージは、前記第２の基地局の識別子を搬送し、前記第２の基地局に直接接続するよう前記第１の端末に指示するために使用される、ステップと、
前記第２の端末により、前記第２のメッセージを前記第１の端末に送信するステップと、
を含む方法。
【請求項７】
第２の端末により、第１のメッセージを第１の端末に送信するステップの前に、当該方法は、
前記第２の端末により、前記第１の基地局により送信された第３のメッセージを受信するステップであり、前記第３のメッセージは、前記第１の端末の測定イベントを構成するため、かつ前記第１のメッセージを受信した後に測定を開始するよう前記第１の端末に指示するために使用される、ステップと、
前記第２の端末により、前記第３のメッセージを前記第１の端末に送信するステップと、
をさらに含む、請求項６に記載の方法。
【請求項８】
第２の端末により、第１のメッセージを第１の端末に送信するステップの前に、当該方法は、
前記第２の端末により、前記第１の基地局により送信された第４のメッセージを受信するステップであり、前記第４のメッセージは、第２の測定イベントを構成するために使用され、前記第２の測定イベントは、前記第２の端末のサービングセルの信号強度が第２の閾値より小さいことを含む、ステップと、
前記第２の端末により、前記第４のメッセージに基づいて測定を実行して第２の測定報告を取得するステップであり、前記第２の測定報告は前記第２の測定イベントを含む、ステップと、
をさらに含む、請求項７に記載の方法。
【請求項９】
第２の端末により、第１のメッセージを第１の端末に送信するステップの前に、当該方法は、
前記第２の端末により、前記第１の基地局により送信された前記第１のメッセージを受信するステップであり、前記第１のメッセージは、前記第１の端末の測定イベントを構成するために使用される、ステップ
をさらに含む、請求項６に記載の方法。
【請求項１０】
前記第２の端末により、前記第１の基地局により送信された前記第１のメッセージを受信するステップの前、当該方法は、
前記第２の端末により、前記第１の基地局により送信された第４のメッセージを受信するステップであり、前記第４のメッセージは、第２の測定イベントを構成するために使用され、前記第２の測定イベントは、サービングセルの信号強度が第２の閾値より小さいことを含む、ステップと、
前記第２の端末により、前記第４のメッセージに基づいて測定を実行して第２の測定報告を取得するステップであり、前記第２の測定報告は前記第２の測定イベントを含み、前記第２の測定イベントは、前記第２の測定報告を前記第１の基地局に送信するよう前記第２の端末をトリガするために使用される、ステップと、
をさらに含む、請求項９に記載の方法。
【請求項１１】
前記第１の端末の前記測定イベントは第１の測定イベントを含み、前記第１の測定イベントは、前記第１の端末のサービングセルの信号強度が第１の閾値より大きいことを含み、前記第１の閾値は、前記第１の端末の前記サービングセルへのアクセスが許可される閾値であり、前記第１の測定イベントは、前記第１の測定報告を前記第２の端末を使用することにより前記第１の基地局に送信するよう前記第１の端末をトリガするために使用される、請求項７乃至１０のうちいずれか１項に記載の方法。
【請求項１２】
前記第２の基地局は前記第１の基地局と同じである、請求項１１に記載の方法。
【請求項１３】
前記第２の端末が現在音声電話中でない場合、前記第２の端末により、前記第１の基地局により送信された第２のメッセージを受信するステップの後に、当該方法は、
前記第２の端末により、前記第１の基地局により送信された第５のメッセージを受信するステップであり、前記第５のメッセージは、第３の基地局の識別子を搬送し、前記第１の基地局から前記第３の基地局にハンドオーバされるよう前記第２の端末に指示するために使用される、ステップと、
前記第５のメッセージに基づいて前記第１の基地局から前記第３の基地局に前記第２の端末をハンドオーバするステップと、
をさらに含む、請求項６乃至１２のうちいずれか１項に記載の方法。
【請求項１４】
受信モジュールと、測定モジュールと、送信モジュールと、接続モジュールと、を含む第１の端末であって、
前記受信モジュールは、第２の端末により送信された第１のメッセージを受信するように構成され、前記第１のメッセージは、測定を開始するよう当該第１の端末に指示するために使用され、当該第１の端末は、前記第２の端末を使用することにより第１の基地局に接続し、前記第１の基地局は、当該第１の端末及び前記第２の端末に現在サービスしている基地局であり、
前記測定モジュールは、前記第１のメッセージに基づいて測定を実行して第１の測定報告を取得するように構成され、
前記送信モジュールは、前記第１の測定報告を前記第２の端末を使用することにより前記第１の基地局に送信するように構成され、
前記受信モジュールは、前記第２の端末を使用することにより前記第１の基地局により送信された第２のメッセージを受信するようにさらに構成され、前記第２のメッセージは、前記第２の基地局の識別子を搬送し、前記第２の基地局に直接接続するよう当該第１の端末に指示するために使用され、
前記接続モジュールは、前記第２のメッセージに基づいて前記第２の基地局に直接接続するように構成される、第１の端末。
【請求項１５】
前記受信モジュールは、前記第２の端末により送信された前記第１のメッセージを受信する前に、前記第２の端末を使用することにより前記第１の基地局により送信された第３のメッセージを受信するようにさらに構成され、前記第３のメッセージは、当該第１の端末の測定イベントを構成するため、かつ前記第１のメッセージを受信した後に測定を開始するよう当該第１の端末に指示するために使用される、請求項１４に記載の第１の端末。
【請求項１６】
前記受信モジュールは、具体的に、
前記第２の端末を使用することにより前記第１の基地局により送信された前記第１のメッセージを受信するように構成され、前記第１のメッセージは、当該第１の端末の測定イベントを構成するために使用される、
請求項１４に記載の第１の端末。
【請求項１７】
当該第１の端末の前記測定イベントは第１の測定イベントを含み、前記第１の測定イベントは、当該第１の端末のサービングセルの信号強度が第１の閾値より大きいことを含み、前記第１の閾値は、当該第１の端末の前記サービングセルへのアクセスが許可される閾値であり、前記第１の測定イベントは、前記第１の測定報告を前記第２の端末を使用することにより前記第１の基地局に送信するよう当該第１の端末をトリガするために使用される、請求項１５又は１６に記載の第１の端末。
【請求項１８】
前記第２の基地局は前記第１の基地局と同じである、請求項１７に記載の第１の端末。
【請求項１９】
送信モジュールと、受信モジュールと、を含む第２の端末であって、
前記送信モジュールは、第１のメッセージを第１の端末に送信するように構成され、前記第１のメッセージは、測定を開始するよう前記第１の端末に指示するために使用され、前記第１の端末は、当該第２の端末を使用することにより第１の基地局に接続し、前記第１の基地局は、前記第１の端末及び当該第２の端末に現在サービスしている基地局であり、
前記受信モジュールは、前記第１の端末により送信された第１の測定報告を受信するように構成され、
前記送信モジュールは、前記第１の測定報告を前記第１の基地局に送信するようにさらに構成され、
前記受信モジュールは、前記第１の基地局により送信された第２のメッセージを受信するようにさらに構成され、前記第２のメッセージは、前記第２の基地局の識別子を搬送し、前記第２の基地局に直接接続するように前記第１の端末に指示するために使用され、
当該第２の端末は、前記第２のメッセージを前記第１の端末に送信する、第２の端末。
【請求項２０】
前記受信モジュールは、前記送信モジュールが前記第１のメッセージを前記第１の端末に送信する前に、前記第１の基地局により送信された第３のメッセージを受信するようにさらに構成され、前記第３のメッセージは、前記第１の端末の測定イベントを構成するため、かつ前記第１のメッセージを受信した後に測定を開始するよう前記第１の端末に指示するために使用され、
前記送信モジュールは、前記第３のメッセージを前記第１の端末に送信するようにさらに構成される、請求項１９に記載の第２の端末。
【請求項２１】
当該第２の端末は測定モジュールをさらに含み、
前記受信モジュールは、前記送信モジュールが前記第１のメッセージを前記第１の端末に送信する前に、前記第１の基地局により送信された第４のメッセージを受信するようにさらに構成され、前記第４のメッセージは、第２の測定イベントを構成するために使用され、前記第２の測定イベントは、当該第２の端末のサービングセルの信号強度が第２の閾値より小さいことを含み、
前記測定モジュールは、前記第４のメッセージに基づいて測定を実行して第２の測定報告を取得するように構成され、前記第２の測定報告は前記第２の測定イベントを含む、請求項２０に記載の第２の端末。
【請求項２２】
前記受信モジュールは、前記送信モジュールが前記第１のメッセージを前記第１の端末に送信する前に、前記第１の基地局により送信された前記第１のメッセージを受信するようにさらに構成され、前記第１のメッセージは、前記第１の端末の測定イベントを構成するために使用される、請求項１９に記載の第２の端末。
【請求項２３】
当該第２の端末は測定モジュールをさらに含み、
前記受信モジュールは、前記第１の基地局により送信された前記第１のメッセージを受信する前に、前記第１の基地局により送信された第４のメッセージを受信するようにさらに構成され、前記第４のメッセージは、第２の測定イベントを構成するために使用され、前記第２の測定イベントは、サービングセルの信号強度が第２の閾値より小さいことを含み、
前記測定モジュールは、前記第４のメッセージに基づいて測定を実行して第２の測定報告を取得するように構成され、前記第２の測定報告は前記第２の測定イベントを含み、前記第２の測定イベントは、前記第２の測定報告を前記第１の基地局に送信するよう当該第２の端末をトリガするために使用される、請求項２２に記載の第２の端末。
【請求項２４】
前記第１の端末の前記測定イベントは第１の測定イベントを含み、前記第１の測定イベントは、前記第１の端末のサービングセルの信号強度が第１の閾値より大きいことを含み、前記第１の閾値は、前記第１の端末の前記サービングセルへのアクセスが許可される閾値であり、前記第１の測定イベントは、前記第１の測定報告を当該第２の端末を使用することにより前記第１の基地局に送信するよう前記第１の端末をトリガするために使用される、請求項２０乃至２３のうちいずれか１項に記載の第２の端末。
【請求項２５】
前記第２の基地局は前記第１の基地局と同じである、請求項２４に記載の第２の端末。
【請求項２６】
当該第２の端末はハンドオーバモジュールをさらに含み、
前記受信モジュールは、当該第２の端末が現在音声電話中でない場合、前記第１の基地局により送信された第２のメッセージを受信した後に、前記第１の基地局により送信された第５のメッセージを受信するようにさらに構成され、前記第５のメッセージは、第３の基地局の識別子を搬送し、前記第１の基地局から前記第３の基地局にハンドオーバされるよう当該第２の端末に指示するために使用され、
前記ハンドオーバモジュールは、前記第５のメッセージに基づいて前記第１の基地局から前記第３の基地局に当該第２の端末をハンドオーバするように構成される、請求項１９乃至２５のうちいずれか１項に記載の第２の端末。
【請求項２７】
プロセッサと、メモリと、バスと、通信インターフェースと、を含む第１の端末であって、
前記メモリはコンピュータ実行可能命令を記憶するように構成され、前記プロセッサ及び前記メモリは前記バスを使用することにより接続され、当該第１の端末が動作するとき、前記プロセッサは前記メモリに記憶された前記コンピュータ実行可能命令を実行し、それにより、当該第１の端末は請求項１乃至５のうちいずれか１項に記載のハンドオーバ方法を実行する、第１の端末。
【請求項２８】
プロセッサと、メモリと、バスと、通信インターフェースと、を含む第２の端末であって、
前記メモリはコンピュータ実行可能命令を記憶するように構成され、前記プロセッサ及び前記メモリは前記バスを使用することにより接続され、当該第２の端末が動作するとき、前記プロセッサは前記メモリに記憶された前記コンピュータ実行可能命令を実行し、それにより、当該第２の端末は請求項６乃至１３のうちいずれか１項に記載のハンドオーバ方法を実行する、第２の端末。
【請求項２９】
ハンドオーバシステムであって、
請求項１４乃至１８のうちいずれか１項に記載の第１の端末と、請求項１９乃至２６のうちいずれか１項に記載の第２の端末とを含み、あるいは、
請求項２７に記載の第１の端末と、請求項２８に記載の第２の端末とを含む、ハンドオーバシステム。
【発明の詳細な説明】
【技術分野】
【０００１】
本出願は、2017年2月27日に中国特許庁に出願された「COMMUNICATION  METHOD」という名称の中国特許出願第201710109483.2号に対する優先権を主張し、該出願はその全体を参照により本明細書に援用される。
【０００２】
［技術分野］
本出願は通信技術の分野に関し、詳細にはハンドオーバ方法及びシステム並びにデバイスに関する。
【背景技術】
【０００３】
スマートフォン産業は成熟化し、市場は飽和状態になりつつある。アクセス端末及びデータカード市場は衰退し、ウェアラブルデバイス（Wearable  Device、ＷＤ）は企業の将来の戦略的方向の１つである。
【０００４】
現在、ほとんどのＷＤの周囲には高性能なユーザ装置（User  Equipment、ＵＥ）が存在する。ＷＤの伝送効率を向上させるために、ＷＤによりＵＥを使用することによりネットワークにアクセスするための要件が、第３世代パートナーシッププロジェクト（3rd  Generation  Partnership  Project、３ＧＰＰ）標準に書かれた。さらに、該標準では、ＷＤに対してＵＥにより提供されるリレーサービスは第２世代（2nd  generation、２Ｇ）又は第３世代（3rd  generation、３Ｇ）のアクセス技術及びネットワークをサポートせず、第４世代（4th  generation、４Ｇ）のアクセス技術及びネットワーク並びに後続の進化型アクセス技術及びネットワークのみを使用できると規定されている。したがって、ＵＥが４Ｇネットワークに在圏し続けることができないとき、例えば、ＵＥが４Ｇネットワークのカバレッジエリア外にあり、したがって３Ｇ又は２Ｇネットワークにハンドオーバされる必要があるとき、又はＵＥが音声電話をかけるために３Ｇ又は２Ｇネットワークに戻る必要があるときに、ＷＤは、ＵＥを使用することによるネットワークへのアクセスから、進化型ＮｏｄｅＢ（evolved  NodeB、ｅＮＢ）を使用することによるネットワークとの直接通信に変更する必要がある。
【０００５】
しかしながら、ＵＥが３Ｇ又は２Ｇネットワークにハンドオーバされる必要があるとき、ｅＮＢが依然として、４Ｇネットワーク内のように、ＵＥにより報告された測定報告に基づいてＵＥ及びＷＤに対して同じターゲット基地局を選択してＵＥ及びＷＤを同時にハンドオーバする場合、ＷＤはターゲット基地局に在圏するのに失敗する可能性があり、結果として、サービス連続性が確保できない。例えば、図１に示すように、ｅＮＢ１が、ＵＥにより報告された測定報告に基づいてターゲット基地局を選択する場合、ｅＮＢ１は、ＷＤのターゲット基地局として基地局サブシステム（base  station  subsystem、ＢＳＳ）２を選択すべきである。しかしながら、ＷＤはＢＳＳ２から遠く離れており、したがって、ＷＤはターゲット基地局に在圏できない。この場合、サービス連続性は確保できない。実際には、ＷＤに対してＢＳＳ３（図１ａ）、ｅＮＢ１（図１ｂ）、又はｅＮＢ２（図１ｃ）を選択することが望ましい。
【０００６】
したがって、ＵＥが４Ｇネットワーク又は将来のポスト４Ｇネットワークから３Ｇ又は２ＧネットワークにハンドオーバされるときにＷＤのサービス連続性を確保する方法は、現在緊急に解決されるべき問題である。
【発明の概要】
【０００７】
本出願の実施形態は、ＵＥが４Ｇネットワーク又は将来のポスト４Ｇネットワークから３Ｇ又は２ＧネットワークにハンドオーバされるときにＷＤのサービス連続性を確保するためのハンドオーバ方法及びシステム並びにデバイスを提供する。
【０００８】
前述の目的を達成するために、本発明の実施形態では、以下の技術的解決策が使用される。
【０００９】
第１の態様によれば、ハンドオーバ方法が提供される。当該方法は、第１の端末により、第２の端末により送信された第１のメッセージを受信するステップであり、第１のメッセージは、測定を開始するよう第１の端末に指示するために使用され、第１の端末は、第２の端末を使用することにより第１の基地局に接続し、第１の基地局は、第１の端末及び第２の端末に現在サービスしている基地局である、ステップと、第１の端末により、第１のメッセージに基づいて測定を実行して第１の測定報告を取得するステップと、第１の端末により、第１の測定報告を第２の端末を使用することにより第１の基地局に送信するステップと、第１の端末により、第２の端末を使用することにより第１の基地局により送信された第２のメッセージを受信するステップであり、第２のメッセージは、第２の基地局の識別子を搬送し、第２の基地局に直接接続するよう第１の端末に指示するために使用される、ステップと、第１の端末により、第２のメッセージに基づいて第２の基地局に直接接続するステップと、を含む。換言すれば、第２の端末が、４Ｇネットワーク又は将来のポスト４Ｇネットワークから３Ｇ又は２Ｇネットワークにハンドオーバされるとき、第１の端末は、第１の端末からの測定報告に基づいて決定された第２の基地局に直接接続して、第１の端末のサービス連続性を確保し得る。これは、第１の基地局が第２の端末からの測定報告に基づいて第１の端末及び第２の端末に対して同じターゲット基地局を選択し、結果として第１の端末がターゲット基地局に在圏することができず、次いで第１の端末のサービスが中断される従来技術とは、異なる。
【００１０】
可能な設計において、第１の端末により、第２の端末により送信された第１のメッセージを受信するステップの前に、当該方法は、第１の端末により、第２の端末を使用することにより第１の基地局により送信された第３のメッセージを受信するステップであり、第３のメッセージは、第１の端末の測定イベントを構成するため、かつ第１のメッセージを受信した後に測定を開始するよう第１の端末に指示するために使用される、ステップをさらに含む。通常、第２の端末のサービングセルの信号強度が第２の閾値より小さくないとき、ハンドオーバは発生しない。この場合、第１の基地局は、第１の端末が測定報告を報告したとしても、第２の端末からの測定報告に基づいて第１の端末及び第２の端末に対して同じターゲット基地局を通常選択する。したがって、本出願のこの実施形態において、第１の基地局により送信され、かつ第１の端末の測定イベントを構成するために使用されるメッセージを受信した後、第１の端末は、直ちに測定を開始するのでなく、測定を開始するよう第１の端末に指示するために使用される第１のメッセージを受信した後にのみ、測定を開始する。例えば、第２の端末は、第２の端末のサービングセルの信号強度が第２の閾値より小さいとき、第１のメッセージを第１の端末に送信する。このように、第１の端末のシグナリングオーバヘッドが低減され、第１の端末の電力量が節減される。
【００１１】
可能な設計において、第１の端末により、第２の端末により送信された第１のメッセージを受信するステップは、第１の端末により、第２の端末を使用することにより第１の基地局により送信された第１のメッセージを受信するステップであり、第１のメッセージは、第１の端末の測定イベントを構成するために使用される、ステップを含む。具体的に言えば、本出願のこの実施形態において、第１の端末は、第１の基地局により送信され、かつ第１の端末の測定イベントを構成するために使用されるメッセージを受信した後、測定を開始する。これは、既存のプロトコルを変更することなく実現するのがより容易である。
【００１２】
可能な設計において、第１の端末の測定イベントは第１の測定イベントを含み、第１の測定イベントは、第１の端末のサービングセルの信号強度が第１の閾値より大きいことを含み、第１の閾値は、第１の端末のサービングセルへのアクセスが許可される閾値であり、第１の測定イベントは、第１の測定報告を第２の端末を使用することにより第１の基地局に送信するよう第１の端末をトリガするために使用される。このように、第１の基地局により決定される、第１の端末に直接接続すべき第２の基地局は、第１の基地局と同じであってもよい。換言すれば、第１の端末は、第１の基地局に直接接続してもよい。
【００１３】
第２の態様によれば、ハンドオーバ方法が提供される。当該方法は、第２の端末により、第１のメッセージを第１の端末に送信するステップであり、第１のメッセージは、測定を開始するよう第１の端末に指示するために使用され、第１の端末は、第２の端末を使用することにより第１の基地局に接続し、第１の基地局は、第１の端末及び第２の端末に現在サービスしている基地局である、ステップと、第２の端末により、第１の端末により送信された第１の測定報告を受信するステップと、第２の端末により、第１の測定報告を第１の基地局に送信するステップと、第２の端末により、第１の基地局により送信された第２のメッセージを受信するステップであり、第２のメッセージは、第２の基地局の識別子を搬送し、第２の基地局に直接接続するよう第１の端末に指示するために使用される、ステップと、第２の端末により、第２のメッセージを第１の端末に送信するステップと、を含む。換言すれば、第２の端末が、４Ｇネットワーク又は将来のポスト４Ｇネットワークから３Ｇ又は２Ｇネットワークにハンドオーバされるとき、第１の端末は、第１の端末からの測定報告に基づいて決定された第２の基地局に直接接続して、第１の端末のサービス連続性を確保し得る。これは、第１の基地局が第２の端末からの測定報告に基づいて第１の端末及び第２の端末に対して同じターゲット基地局を選択し、結果として第１の端末がターゲット基地局に在圏することができず、次いで第１の端末のサービスが中断される従来技術とは、異なる。
【００１４】
可能な設計において、第２の端末により、第１のメッセージを第１の端末に送信するステップの前に、当該方法は、第２の端末により、第１の基地局により送信された第３のメッセージを受信するステップであり、第３のメッセージは、第１の端末の測定イベントを構成するため、かつ第１のメッセージを受信した後に測定を開始するよう第１の端末に指示するために使用される、ステップと、第２の端末により、第３のメッセージを第１の端末に送信するステップと、をさらに含む。通常、第２の端末のサービングセルの信号強度が第２の閾値より小さくないとき、ハンドオーバは発生しない。この場合、第１の基地局は、第１の端末が測定報告を報告したとしても、第２の端末からの測定報告に基づいて第１の端末及び第２の端末に対して同じターゲット基地局を通常選択する。したがって、本出願のこの実施形態において、第１の基地局により送信され、かつ第１の端末の測定イベントを構成するために使用されるメッセージを受信した後、第１の端末は、直ちに測定を開始するのでなく、測定を開始するよう第１の端末に指示するために使用される第１のメッセージを受信した後にのみ、測定を開始する。例えば、第２の端末は、第２の端末のサービングセルの信号強度が第２の閾値より小さいとき、第１のメッセージを第１の端末に送信する。このように、第１の端末のシグナリングオーバヘッドが低減され、第１の端末の電力量が節減される。
【００１５】
可能な設計において、第２の端末により、第１のメッセージを第１の端末に送信するステップの前に、当該方法は、第２の端末により、第１の基地局により送信された第４のメッセージを受信するステップであり、第４のメッセージは、第２の測定イベントを構成するために使用され、第２の測定イベントは、第２の端末のサービングセルの信号強度が第２の閾値より小さいことを含む、ステップと、第２の端末により、第４のメッセージに基づいて測定を実行して第２の測定報告を取得するステップであり、第２の測定報告は第２の測定イベントを含む、ステップと、をさらに含む。通常、第２の端末のサービングセルの信号強度が第２の閾値より小さくないとき、ハンドオーバは発生しない。この場合、第１の基地局は、第１の端末が測定報告を報告したとしても、第２の端末からの測定報告に基づいて第１の端末及び第２の端末に対して同じターゲット基地局を通常選択する。したがって、本出願のこの実施形態において、第２の端末のサービングセルの信号強度が第２の閾値より小さいときのみ、すなわち、第２の端末が第２の測定報告を報告した後に、第１の基地局は第１のメッセージを第１の端末に送信し、第１のメッセージは、測定を開始するよう第１の端末に指示するために使用される。このように、第１の端末のシグナリングオーバヘッドが低減され、第１の端末の電力量が節減される。
【００１６】
可能な設計において、第２の端末により、第１のメッセージを第１の端末に送信するステップの前に、当該方法は、第２の端末により、第１の基地局により送信された第１のメッセージを受信するステップであり、第１のメッセージは、第１の端末の測定イベントを構成するために使用される、ステップをさらに含む。具体的に言えば、本出願のこの実施形態において、第１の端末は、第１の基地局により送信され、かつ第１の端末の測定イベントを構成するために使用されるメッセージを受信した後、測定を開始する。これは、既存のプロトコルを変更することなく実現するのがより容易である。
【００１７】
可能な設計において、第２の端末により、第１の基地局により送信された第１のメッセージを受信するステップの前、当該方法は、第２の端末により、第１の基地局により送信された第４のメッセージを受信するステップであり、第４のメッセージは、第２の測定イベントを構成するために使用され、第２の測定イベントは、サービングセルの信号強度が第２の閾値より小さいことを含む、ステップと、第２の端末により、第４のメッセージに基づいて測定を実行して第２の測定報告を取得するステップであり、第２の測定報告は第２の測定イベントを含み、第２の測定イベントは、第２の測定報告を第１の基地局に送信するよう第２の端末をトリガするために使用される、ステップと、をさらに含む。通常、第２の端末のサービングセルの信号強度が第２の閾値より小さくないとき、ハンドオーバは発生しない。この場合、第１の基地局は、第１の端末が測定報告を報告したとしても、第２の端末からの測定報告に基づいて第１の端末及び第２の端末に対して同じターゲット基地局を通常選択する。したがって、本出願のこの実施形態において、第２の端末のサービングセルの信号強度が第２の閾値より小さいときのみ、すなわち、第２の端末が第２の測定報告を報告した後に、第１の基地局は第１のメッセージを第１の端末に送信し、第１のメッセージは、測定を開始するよう第１の端末に指示するために使用される。このように、第１の端末のシグナリングオーバヘッドが低減され、第１の端末の電力量が節減される。
【００１８】
可能な設計において、第１の端末の測定イベントは第１の測定イベントを含み、第１の測定イベントは、第１の端末のサービングセルの信号強度が第１の閾値より大きいことを含み、第１の閾値は、第１の端末のサービングセルへのアクセスが許可される閾値であり、第１の測定イベントは、第１の測定報告を第２の端末を使用することにより第１の基地局に送信するよう第１の端末をトリガするために使用される。このように、第１の基地局により決定される、第１の端末に直接接続すべき第２の基地局は、第１の基地局と同じであってもよい。換言すれば、第１の端末は、第１の基地局に直接接続してもよい。
【００１９】
可能な設計において、第２の端末が現在音声電話中でない場合、第２の端末により、第１の基地局により送信された第２のメッセージを受信するステップの後に、当該方法は、第２の端末により、第１の基地局により送信された第５のメッセージを受信するステップであり、第５のメッセージは、第３の基地局の識別子を搬送し、第１の基地局から第３の基地局にハンドオーバされるよう第２の端末に指示するために使用される、ステップと、第５のメッセージに基づいて第１の基地局から第３の基地局に第２の端末をハンドオーバするステップと、をさらに含む。このように、第１の端末は第２の端末がハンドオーバされる前にハンドオーバされないため、第２の端末のハンドオーバプロセスにおける通信が確保できる。
【００２０】
第３の態様によれば、本出願の一実施形態は第１の端末を提供する。第１の端末は、前述の方法の実施形態における第１の端末の挙動を実現する機能を有する。該機能は、ハードウェアにより実現されてもよく、あるいはハードウェアにより、対応するソフトウェアを実行することにより実現されてもよい。ハードウェア又はソフトウェアは、機能に対応する１つ以上のモジュールを含む。
【００２１】
第４の態様によれば、本出願の一実施形態は、プロセッサと、メモリと、バスと、通信インターフェースと、を含む第１の端末を提供する。メモリはコンピュータ実行可能命令を記憶するように構成され、プロセッサ及びメモリはバスを使用することにより接続され、当該第１の端末が動作するとき、プロセッサはメモリに記憶されたコンピュータ実行可能命令を実行し、それにより、当該第１の端末は第１の態様又は第１の態様の可能な設計のうちいずれか１つに記載のハンドオーバ方法を実行する。
【００２２】
第５の態様によれば、本出願の一実施形態は、前述の第１の端末により使用されるコンピュータソフトウェア命令を記憶するように構成されたコンピュータ読取可能記憶媒体を提供する。コンピュータソフトウェア命令がコンピュータ上で実行されると、コンピュータは第１の態様又は第１の態様の可能な設計のうちいずれか１つに記載のハンドオーバ方法を実行できる。
【００２３】
第６の態様によれば、本出願の一実施形態は、命令を含むコンピュータプログラムプロダクトを提供し、命令がコンピュータ上で実行されると、コンピュータは第１の態様又は第１の態様の可能な設計のうちいずれか１つに記載のハンドオーバ方法を実行できる。
【００２４】
第３の態様乃至第６の態様の任意の設計方式によりもたらされる技術的効果については、第１の態様の異なる設計方式によりもたらされる技術的効果を参照する。詳細はここで再度説明されない。
【００２５】
第７の態様によれば、本出願の一実施形態は第２の端末を提供する。第２の端末は、前述の方法の実施形態における第２の端末の挙動を実現する機能を有する。該機能は、ハードウェアにより実現されてもよく、あるいはハードウェアにより、対応するソフトウェアを実行することにより実現されてもよい。ハードウェア又はソフトウェアは、機能に対応する１つ以上のモジュールを含む。
【００２６】
第８の態様によれば、本出願の一実施形態は、プロセッサと、メモリと、バスと、通信インターフェースと、を含む第２の端末を提供する。メモリはコンピュータ実行可能命令を記憶するように構成され、プロセッサ及びメモリはバスを使用することにより接続され、当該第２の端末が動作するとき、プロセッサはメモリに記憶されたコンピュータ実行可能命令を実行し、それにより、当該第２の端末は第２の態様又は第２の態様の可能な設計のうちいずれか１つに記載のハンドオーバ方法を実行する。
【００２７】
第９の態様によれば、本出願の一実施形態は、前述の第２の端末により使用されるコンピュータソフトウェア命令を記憶するように構成されたコンピュータ読取可能記憶媒体を提供する。コンピュータソフトウェア命令がコンピュータ上で実行されると、コンピュータは第２の態様又は第２の態様の可能な設計のうちいずれか１つに記載のハンドオーバ方法を実行できる。
【００２８】
第１０の態様によれば、本出願の一実施形態は、命令を含むコンピュータプログラムプロダクトを提供し、命令がコンピュータ上で実行されると、コンピュータは第２の態様又は第２の態様の可能な設計のうちいずれか１つに記載のハンドオーバ方法を実行できる。
【００２９】
第７の態様乃至第１０の態様の任意の設計方式によりもたらされる技術的効果については、第１の態様の異なる設計方式によりもたらされる技術的効果を参照する。詳細はここで再度説明されない。
【００３０】
第１１の態様によれば、本出願の一実施形態はハンドオーバシステムを提供する。当該ハンドオーバシステムは、前述の態様のうちいずれか１つに記載の第１の端末と、前述の態様のうちいずれか１つに記載の第２の端末と、を含む。
【００３１】
本出願のこれらの態様又は他の態様は、以下の実施形態の説明においてより明確かつ理解可能である。
【図面の簡単な説明】
【００３２】
【図１】既存のハンドオーバシナリオの概略図である。
【図２】本出願の一実施形態によるハンドオーバシステムの概略アーキテクチャ図である。
【図３】本出願の一実施形態による端末のハードウェア構造の概略図である。
【図４】本出願の一実施形態によるハンドオーバ方法の概略フローチャート１である。
【図５Ａ】図５Ａ及び図５Ｂは、本出願の一実施形態によるハンドオーバ方法の概略フローチャート２である。
【図５Ｂ】図５Ａ及び図５Ｂは、本出願の一実施形態によるハンドオーバ方法の概略フローチャート２である。
【図６Ａ】図６Ａ及び図６Ｂは、本出願の一実施形態によるハンドオーバ方法の概略フローチャート３である。
【図６Ｂ】図６Ａ及び図６Ｂは、本出願の一実施形態によるハンドオーバ方法の概略フローチャート３である。
【図７】本出願の一実施形態による第１の端末の概略構造図１である。
【図８】本出願の一実施形態による第１の端末の概略構造図２である。
【図９】本出願の一実施形態による第２の端末の概略構造図１である。
【図１０】本出願の一実施形態による第２の端末の概略構造図２である。
【発明を実施するための形態】
【００３３】
以下は、本出願の実施形態における添付図面を参照して、本出願の実施形態における技術的解決策を説明する。本出願の説明において、「／」は別段規定されない限り「又は」を意味する。例えば、Ａ／Ｂは、Ａ又はＢを表し得る。本明細書において、「及び／又は」は、関連づけられたオブジェクトを説明するための関連づけ関係を単に説明しており、３つの関係が存在し得ることを表す。例えば、Ａ及び／又はＢは、以下の３つの場合、すなわち、Ａのみが存在する、Ａ及びＢの双方が存在する、及びＢのみが存在する、を表し得る。さらに、本出願の説明において、「複数」は「２以上」を意味する。さらに、本出願の実施形態における技術的解決策の明確な説明を容易にするために、本出願の実施形態において「第１の」及び「第２の」などの語が使用されて、基本的に同じ機能又は目的を有する同じアイテム又は同様のアイテム間で区別する。当業者は、「第１の」及び「第２の」などの語が数量及び実行順序に対する制限を構成しないことを理解し得る。例えば、本出願の実施形態中、第１の端末における「第１の」及び第２の端末における「第２の」は、単に異なるネットワークデバイス間で区別するために使用される。
【００３４】
本出願の実施形態で説明されるネットワークアーキテクチャ及びサービスシナリオは、本出願の実施形態における技術的解決策をより明確に説明することが意図され、本出願の実施形態で提供される技術的解決策に対する制限を構成するものではない。当業者は、ネットワークアーキテクチャの進化及び新しいサービスシナリオの出現に伴い、本出願の実施形態で提供される技術的解決策が同様の技術的問題にも適用可能であることが分かり得る。
【００３５】
図２は、本出願の一実施形態によるハンドオーバシステムの概略アーキテクチャ図である。ハンドオーバシステム２０は、第１の端末２０１、第２の端末２０２、第１の基地局２０３、第２の基地局２０４、及び第３の基地局２０５を含む。ハンドオーバの前、第１の端末２０１は、第２の端末２０２を使用することによりネットワークにアクセスして、第１の基地局と通信する。換言すれば、第１の基地局２０３は、第１の端末２０１及び第２の端末２０２にサービスする。ハンドオーバの後、第１の端末２０１は、第２の基地局２０４に直接接続し、第２の端末２０２は、第３の基地局２０５と直接通信する。換言すれば、第２の基地局２０４は第１の端末２０１にサービスし、第３の基地局２０５は第２の端末２０２にサービスする。
【００３６】
具体的に、図２に示すハンドオーバシステム２０において、第１の基地局２０３及び第２の基地局２０４は同じ基地局であってもよく、あるいは異なる基地局であってもよい。これは、本出願のこの実施形態において具体的に限定されない。第２の基地局２０４及び第３の基地局２０５は同じ基地局であってもよく、あるいは異なる基地局であってもよい。これは、本出願のこの実施形態において具体的に限定されない。
【００３７】
具体的に、図２に示すハンドオーバシステム２０において、第１の基地局２０３は、現在の４Ｇロングタームエボリューション（Long  Term  Evolution、ＬＴＥ）／進化型パケットコア（Evolved  Packet  Core、ＥＰＣ）ネットワークにおけるｅＮＢであってもよく、あるいは将来の第５世代（5th  generation、５Ｇ）ネットワーク及び他の将来のネットワークにおけるｅＮＢであってもよい。これは、本出願のこの実施形態において具体的に限定されない。第３の基地局２０５は、現在の２ＧネットワークにおけるＢＳＳであってもよく、あるいは現在の３ＧネットワークにおけるＢＳＳであってもよい。これは、本出願のこの実施形態において具体的に限定されない。第２の基地局２０４は、現在の２ＧネットワークにおけるＢＳＳ、現在の３ＧネットワークにおけるＢＳＳ、現在の４Ｇ  ＬＴＥ／ＥＰＣネットワークにおけるｅＮＢ、又は将来の５Ｇネットワーク及び他の将来のネットワークにおけるｅＮＢであってもよい。これは、本出願のこの実施形態において具体的に限定されない。
【００３８】
将来の５Ｇネットワーク及び他の将来のネットワークにおける端末及びｅＮＢは単に名称であり、これらの名称はデバイスに対する制限を構成しないことに留意されたい。将来の５Ｇネットワーク及び他の将来のネットワークにおいて、端末及びｅＮＢに対応するネットワーク要素又はエンティティは他の名称を有する可能性がある。これは、本出願のこの実施形態において具体的に限定されない。例えば、端末は端末デバイスと置き換えられてもよく、ｅＮＢは基地局と置き換えられてもよい。これはここで説明され、以下で再度説明されない。
【００３９】
具体的に、図２に示すハンドオーバシステム２０において、第１の端末２０１及び第２の端末２０２の各々のハードウェア構造は、図３の端末３０のハードウェア構造として示される。端末３０は、少なくとも１つのプロセッサ３０１、通信バス３０２、メモリ３０３、及び少なくとも１つの通信インターフェース３０４を含む。
【００４０】
プロセッサ３０１は、汎用中央処理ユニット（central  processing  unit、ＣＰＵ）、マイクロプロセッサ、特定用途向け集積回路（application-specific  integrated  circuit、ＡＳＩＣ）、又は本出願における解決策のプログラム実行を制御するように構成された１つ以上の集積回路であってもよい。
【００４１】
通信バス３０２は、コンポーネント間で情報を転送するためのチャネルを含んでもよい。
【００４２】
通信インターフェース３０４は、送受信機などの任意の装置を使用して、他のデバイス又は通信ネットワーク、例えばイーサネット、無線アクセスネットワーク（radio  access  network、ＲＡＮ）、又は無線ローカルエリアネットワーク（wireless  local  area  networks、ＷＬＡＮ）などと通信するように構成される。
【００４３】
メモリ３０３は、静的情報及び命令を記憶することができる読取専用メモリ（read-only  memory、ＲＯＭ）若しくは他タイプの静的記憶デバイス、又は情報及び命令を記憶することができるランダムアクセスメモリ（random  access  memory、ＲＡＭ）若しくは他タイプの動的記憶デバイスであってもよく、あるいは電気的消去可能プログラマブル読取専用メモリ（electrically  erasable  programmable  read-Only  memory、ＥＥＰＲＯＭ）、コンパクトディスク読取専用メモリ（compact  disc  read-only  memory、ＣＤ‐ＲＯＭ）若しくは他のコンパクトディスクストレージ、光ディスクストレージ（圧縮光ディスク、レーザディスク、光ディスク、デジタル多用途ディスク、ブルーレイディスク等を含む）、磁気ディスク記憶媒体若しくは他の磁気記憶デバイス、又は命令又はデータ構造の形態で予期されるプログラムコードを搬送又は記憶するために使用でき、かつコンピュータによりアクセスできる任意の他の媒体であってもよい。しかしながら、メモリ３０３はこれらに限定されない。メモリは、独立して存在し、バスを使用することによりプロセッサに接続してもよい。メモリは、代わりに、プロセッサに統合されてもよい。
【００４４】
メモリ３０３は、本出願における解決策を実行するためのアプリケーションプログラムコードを記憶するように構成され、プロセッサ３０１は実行を制御する。プロセッサ３０１は、メモリ３０３に記憶されたアプリケーションプログラムコードを実行して、本出願の実施形態におけるハンドオーバ方法を実現するように構成される。
【００４５】
特定の実装の間、一実施形態として、プロセッサ３０１は、１つ以上のＣＰＵ、例えば、図３のＣＰＵ０及びＣＰＵ１を含んでもよい。
【００４６】
特定の実装の間、一実施形態として、端末３０は、複数のプロセッサ、例えば、図３のプロセッサ３０１及びプロセッサ３０８を含んでもよい。プロセッサの各々は、シングルコア（single-CPU）プロセッサであってもよく、あるいはマルチコア（multi-CPU）プロセッサであってもよい。本明細書におけるプロセッサは、データ（コンピュータプログラム命令など）を処理するように構成された１つ以上のデバイス、回路、及び／又は処理コアであってもよい。
【００４７】
特定の実施の間、一実施形態として、端末３０は、出力デバイス３０５及び入力デバイス３０６をさらに含んでもよい。出力デバイス３０５は、プロセッサ３０１と通信し、複数の方式で情報を表示してもよい。例えば、出力デバイス３０５は、液晶ディスプレイ（liquid  crystal  display、ＬＣＤ）、発光ダイオード（light  emitting  diode、ＬＥＤ）ディスプレイデバイス、陰極線管（cathode  ray  tube、ＣＲＴ）ディスプレイデバイス、又はプロジェクタ（projector）であってもよい。入力デバイス３０６は、プロセッサ３０１と通信し、複数の方式でユーザ入力を受信してもよい。例えば、入力デバイス３０６は、マウス、キーボード、タッチスクリーンデバイス、又は感知デバイスであってもよい。
【００４８】
特定の実装の間、端末３０は、無線通信機能を有する様々なハンドヘルドデバイス、車載デバイス、ＷＤ、又はコンピューティングデバイス、又は無線モデムに接続された他の処理デバイス、及び端末、移動局（mobile  station、ＭＳ）、ＵＥ、端末デバイス（端末装置（terminal  equipment））などの、図３の構造と同様の構造を有するデバイス、及び様々な形式のソフトクライアントを含んでもよい。端末３０のタイプは、本出願のこの実施形態で限定されない。説明を容易にするために、上述のデバイスは本出願の実施形態において集合的に端末と呼ばれる。
【００４９】
本出願の実施形態で提供されるハンドオーバ方法は、図２に示すハンドオーバシステム及び図３に示す端末を参照して以下に詳細に説明される。
【００５０】
第１に、図４は、本出願の一実施形態によるハンドオーバ方法の概略フローチャートである。ハンドオーバ方法は、第１の端末、第２の端末、第１の基地局、及び第２の基地局の間の相互作用に関するものであり、以下のステップを含む。
【００５１】
Ｓ４０１．第２の端末が、第１のメッセージを第１の端末に送信し、第１のメッセージは、測定を開始するよう第１の端末に指示するために使用される。
【００５２】
図１に示すように、ハンドオーバの前、第１の端末は、第２の端末を使用することにより第１の基地局に接続し、第１の基地局は、第１の端末及び第２の端末に現在サービスしている基地局である。
【００５３】
例えば、本出願のこの実施形態において、第１の端末はＷＤであってもよく、第２の端末はＵＥであってもよい。
【００５４】
Ｓ４０２．第１の端末が、第２の端末により送信された第１のメッセージを受信する。
【００５５】
Ｓ４０３．第１の端末が、第１のメッセージに基づいて測定を実行して第１の測定報告を取得する。
【００５６】
具体的に、第１のメッセージに基づいて第１の端末により測定される対象は、第１の端末に対して構成された第１の端末の測定イベントに基づいて決定される。第１の端末の測定イベントは、第１の測定報告を第２の端末を使用することにより第１の基地局に報告するよう第１の端末をトリガするために使用される。
【００５７】
例えば、第１の端末に対して構成された第１の端末の測定イベントが、第１の端末のサービングセルの信号強度が予め設定された閾値より大きいことである場合、第１の端末は、第１の端末のサービングセルの信号強度を測定する。第１の端末のサービングセルの信号強度が予め設定した閾値よりも大きいとき、第１の端末は、第１の測定報告を第２の端末を使用することにより第１の基地局に報告する。
【００５８】
あるいは、例えば、第１の端末に対して構成された第１の端末の測定イベントが、第１の端末の近隣セルの信号強度が予め設定された閾値より大きいことである場合、第１の端末は、第１の端末の近隣セルの信号強度を測定する。第１の端末の近隣セルの信号強度が予め設定された閾値より大きいとき、第１の端末は、第１の測定報告を第２の端末を使用することにより第１の基地局に報告する。
【００５９】
第１の端末により測定される対象は、本出願のこの実施形態において具体的に限定されない。
【００６０】
Ｓ４０４．第１の端末が、第１の測定報告を第２の端末を使用することにより第１の基地局に送信する。
【００６１】
Ｓ４０５．第１の基地局が、第１の測定報告を受信する。
【００６２】
Ｓ４０６．第１の基地局が、第１の測定報告に基づいて、第１の端末に直接接続すべき第２の基地局を決定する。
【００６３】
Ｓ４０７．第１の基地局が、第２のメッセージを第２の端末を使用することにより第１の端末に送信し、第２のメッセージは、第２の基地局の識別子を搬送し、第２の基地局に直接接続するよう第１の端末に指示するために使用される。
【００６４】
Ｓ４０８．第１の端末が、第２の端末を使用することにより第１の基地局により送信された第２のメッセージを受信する。
【００６５】
Ｓ４０９．第１の端末が、第２のメッセージに基づいて第２の基地局に直接接続する。
【００６６】
本出願のこの実施形態で提供されるハンドオーバ方法において、第１の端末は、第２の端末により送信された第１のメッセージを受信してもよく、第１のメッセージは、測定を開始するよう第１の端末に指示するために使用される。次いで、第１の端末は、第１のメッセージに基づいて測定を実行して第１の測定報告を取得してもよく、第１の測定報告は、第１の端末に直接接続すべき第２の基地局を決定するために使用される。次いで、第１の端末は、第２の端末により送信され、かつ第２の基地局に直接接続するよう第１の端末に指示するために使用される第２のメッセージを第１の端末が受信した後、第２の基地局に直接接続してもよい。換言すれば、第２の端末が、４Ｇネットワーク又は将来のポスト４Ｇネットワークから３Ｇ又は２Ｇネットワークにハンドオーバされるとき、第１の端末は、第１の端末からの測定報告に基づいて決定された第２の基地局に直接接続して、第１の端末のサービス連続性を確保し得る。これは、第１の基地局が第２の端末からの測定報告に基づいて第１の端末及び第２の端末に対して同じターゲット基地局を選択し、結果として第１の端末がターゲット基地局に在圏する（camp  on）ことができず、次いで第１の端末のサービスが中断される従来技術とは、異なる。
【００６７】
Ｓ４０２、Ｓ４０３、Ｓ４０４、Ｓ４０８、及びＳ４０９における第１の端末の動作は、メモリ３０３に記憶されたアプリケーションプログラムコードを呼び出すことにより、図３に示す端末３０のプロセッサ３０１により実行されてもよい。これは、本出願のこの実施形態において限定されない。
【００６８】
Ｓ４０１、Ｓ４０４、及びＳ４０７における第２の端末の動作は、メモリ３０３に記憶されたアプリケーションプログラムコードを呼び出すことにより、図３に示す端末３０のプロセッサ３０１により実行されてもよい。これは、本出願のこの実施形態において限定されない。
【００６９】
次に、図４に示すハンドオーバ方法を詳細に説明する。
【００７０】
図５Ａ及び図５Ｂは、本出願の一実施形態による別のハンドオーバ方法の概略フローチャートである。ハンドオーバ方法は、第１の端末、第２の端末、第１の基地局、第２の基地局、及び第３の基地局の間の相互作用に関するものであり、以下のステップを含む。
【００７１】
Ｓ５０１．第１の基地局が、第４のメッセージを第２の端末に送信し、第４のメッセージは、第２の測定イベントを構成するために使用され、第２の測定イベントは、第２の端末のサービングセルの信号強度が第２の閾値より小さいことを含む。
【００７２】
任意で、本出願のこの実施形態において、第４のメッセージは具体的に測定制御（Measurement  Control）メッセージであってもよい。これは、本出願のこの実施形態において具体的に限定されない。
【００７３】
説明を容易にするために、本出願のこの実施形態において、第２の測定イベントはＡ２イベントとして記録される。これはここで説明され、以下で再度説明されない。Ａ２イベントは、周波数間（inter-frequency）測定に通常使用される。
【００７４】
Ｓ５０２．第１の基地局が、第３のメッセージを第２の端末を使用することにより第１の端末に送信し、第３のメッセージは、第１の端末の測定イベントを構成するため、かつ第１のメッセージを受信した後に測定を開始するよう第１の端末に指示するために使用され、第１のメッセージは、測定を開始するよう第１の端末に指示するために使用される。
【００７５】
任意で、本出願のこの実施形態において、第３のメッセージは具体的に測定制御（Measurement  Control）メッセージであってもよい。これは、本出願のこの実施形態において具体的に限定されない。
【００７６】
本出願のこの実施形態において、第１の端末の測定イベントは、第１の端末により測定されるべき対象を示すために使用され、第１の端末の測定イベントは、第１の測定報告を第２の端末を使用することにより第１の基地局に報告するよう第１の端末をトリガするために使用される。
【００７７】
任意で、本出願のこの実施形態において、第１の端末の測定イベントは、第１の測定イベントを含む。第１の測定イベントは、第１の端末のサービングセルの信号強度が第１の閾値より大きいことを含む。第１の閾値は、第１の端末のサービングセルへのアクセスが許可される閾値である。
【００７８】
説明を容易にするために、本出願のこの実施形態において、第１の測定イベントはＡ１イベントとして記録される。これはここで説明され、以下で再度説明されない。Ａ１イベントは、進行中の周波数間測定を無効にするために通常使用され、Ａ１イベントは、第１の端末により測定されるべき対象が第１の端末のサービングセルの信号強度であることを示すために使用される。第１の端末のサービングセルの信号強度が第１の閾値より大きいとき、第１の端末は、第１の測定報告を第２の端末を使用することにより第１の基地局に報告するようトリガされる。
【００７９】
任意で、本出願のこの実施形態において、第１の端末の測定イベントは、Ａ３イベント／Ａ４イベント／Ａ５イベント又はＢ１イベント／Ｂ２イベントをさらに含んでもよい。これは、本出願のこの実施形態において具体的に限定されない。
【００８０】
Ａ３イベントは、サービングセルと同じ優先度を有する近隣セルの信号強度が第６の閾値だけサービングセルの信号強度より大きいことを含む。Ａ３イベントは、カバレッジに基づく周波数内（intra-frequency）／周波数間ハンドオーバに通常使用され、Ａ３イベントは、測定されるべき対象が、サービングセルと同じ優先度を有する近隣セルの信号強度及びサービングセルの信号強度であることを示すために使用される。サービングセルと同じ優先度を有する近隣セルの信号強度が第６の閾値だけサービングセルの信号強度より大きいとき、測定報告の報告がトリガされる。
【００８１】
Ａ４イベントは、近隣セルの信号強度が第７の閾値より大きいことを含む。Ａ４イベントは、負荷に基づくハンドオーバに通常使用され、Ａ４イベントは、測定されるべき対象が近隣セルの信号強度であることを示すために使用される。近隣セルの信号強度が第７の閾値より大きいとき、測定報告の報告がトリガされる。
【００８２】
Ａ５イベントは、サービングセルの信号強度が第８の閾値より小さく、かつ近隣セルの品質が第９の閾値より高いことを含む。Ａ５イベントは、カバレッジに基づく周波数内／周波数間ハンドオーバに通常使用され、Ａ５イベントは、測定されるべき対象がサービングセルの信号強度及び近隣セルの品質であることを示すために使用される。サービングセルの信号強度が第８の閾値より小さく、かつ近隣セルの品質が第９の閾値より高いとき、測定報告の報告がトリガされる。
【００８３】
Ｂ１イベントは、ＲＡＴ間（inter-RAT）近隣セルの信号強度が第３の閾値より大きいことを含む。Ｂ１イベントは、負荷に基づくハンドオーバに通常使用され、Ｂ１イベントは、測定されるべき対象がＲＡＴ間近隣セルの信号強度であることを示すために使用される。ＲＡＴ間近隣セルの信号強度が第３の閾値より大きいとき、測定報告の報告がトリガされる。
【００８４】
Ｂ２イベントは、サービングセルの信号強度が第４の閾値より小さく、かつＲＡＴ間近隣セルの信号強度が第５の閾値より大きいことを含む。Ｂ２イベントは、カバレッジに基づくハンドオーバに通常使用され、Ｂ２イベントは、測定されるべき対象がサービングセルの信号強度及びＲＡＴ間近隣セルの信号強度であることを示すために使用される。サービングセルの信号強度が第４の閾値より小さく、かつＲＡＴ間近隣セルの信号強度が第５の閾値より大きいとき、測定報告の報告がトリガされる。
【００８５】
本出願のこの実施形態において、ステップＳ５０１及びＳ５０２は一定の順序で実行されないことに留意されたい。ステップＳ５０１がステップＳ５０２の前に実行されてもよく、ステップＳ５０２がステップＳ５０１の前に実行されてもよく、あるいはステップＳ５０１及びＳ５０２は同時に実行されてもよい。これは、本出願のこの実施形態において具体的に限定されない。
【００８６】
Ｓ５０３．第１の端末が、第２の端末を使用することにより第１の基地局により送信された第３のメッセージを受信する。
【００８７】
Ｓ５０４．第２の端末が、第４のメッセージを受信し、第４のメッセージに基づいて測定を実行して第２の測定報告を取得し、第２の測定報告は、Ａ２イベントを含む。
【００８８】
第４のメッセージは、第２の測定イベントを構成するために使用され、第２の測定イベントは、Ａ２イベントを含む。したがって、第４のメッセージに基づいて第２の端末により測定される対象は、第２の端末のサービングセルの信号強度である。第２の端末のサービングセルの信号強度が第２の閾値より小さいとき、第２の端末は、第２の測定報告を第１の基地局に送信するようトリガされる。
【００８９】
Ｓ５０５．第２の端末が、第２の測定報告を第１の基地局に送信する。
【００９０】
Ｓ５０６．第１の基地局が、第２の端末により送信された第２の測定報告を受信する。
【００９１】
Ｓ５０７．第１の基地局が、第６のメッセージを第２の端末に送信し、第６のメッセージは、第３の測定イベントを構成するために使用され、第３の測定イベントは、Ｂ１イベント又はＢ２イベントを含む。
【００９２】
任意で、本出願のこの実施形態において、第６のメッセージは具体的に測定制御（Measurement  Control）メッセージであってもよい。これは、本出願のこの実施形態において具体的に限定されない。
【００９３】
Ｓ５０８．第２の端末が、第６のメッセージを受信し、第６のメッセージに基づいて測定を実行して第３の測定報告を取得し、第３の測定報告は、第３の測定イベントを含み、第３の測定報告は、第３の基地局を決定するために使用される。
【００９４】
第６のメッセージは、第３の測定イベントを構成するために使用される。したがって、第６のメッセージに基づいて第２の端末により測定される対象は、第３の測定イベントに対応する対象である。
【００９５】
例えば、第３の測定イベントがＢ１イベントを含む場合、第６のメッセージに基づいて第２の端末により測定される対象は、ＲＡＴ間近隣セルの信号強度である。ＲＡＴ間近隣セルの信号強度が第３の閾値より大きいとき、第２の端末は、第３の測定報告を第１の基地局に送信するようトリガされる。
【００９６】
あるいは、例えば、第３の測定イベントがＢ２イベントを含む場合、第６のメッセージに基づいて第２の端末により測定される対象は、サービングセルの信号強度及びＲＡＴ間近隣セルの信号強度である。サービングセルの信号強度が第４の閾値より小さく、かつＲＡＴ間近隣セルの信号強度が第５の閾値より大きいとき、第２の端末は、第３の測定報告を第１の基地局に送信するようトリガされる。
【００９７】
Ｓ５０９．第２の端末が、第３の測定報告を第１の基地局に送信する。
【００９８】
Ｓ５１０．第１の基地局が、第２の端末により送信された第３の測定報告を受信する。
【００９９】
Ｓ５１１．第２の端末が、第１のメッセージを第１の端末に送信し、第１のメッセージは、測定を開始するよう第１の端末に指示するために使用される。
【０１００】
本出願のこの実施形態において、ステップＳ５０５及びＳ５１１は一定の順序で実行されないことに留意されたい。ステップＳ５０５がステップＳ５１１の前に実行されてもよく、ステップＳ５１１がステップＳ５０５の前に実行されてもよく、あるいはステップＳ５０５及びＳ５１１は同時に実行されてもよい。これは、本出願のこの実施形態において具体的に限定されない。
【０１０１】
Ｓ５１２．第１の端末が、第２の端末により送信された第１のメッセージを受信し、第１のメッセージに基づいて測定を実行して第１の測定報告を取得し、第１の測定報告は、第１の端末に直接接続すべき第２の基地局を決定するために使用される。
【０１０２】
第３のメッセージは、第１の端末の測定イベントを構成するために使用される。したがって、第１のメッセージに基づいて第２の端末により測定される対象は、第１の端末の測定イベントに対応する対象である。
【０１０３】
例えば、第１の端末側の測定イベントがＡ１イベントを含む場合、第１のメッセージに基づいて第１の端末により測定される対象は、第１の端末のサービングセルの信号強度である。第１の端末のサービングセルの信号強度が第１の閾値より大きいとき、第１の端末は、第１の測定報告を第２の端末を使用することにより第１の基地局に送信するようトリガされる。
【０１０４】
あるいは、例えば、第１の端末側の測定イベントがＡ３イベントを含む場合、第１のメッセージに基づいて第１の端末により測定される対象は、サービングセルと同じ優先度を有する近隣セルの信号強度及びサービングセルの信号強度である。サービングセルと同じ優先度を有する近隣セルの信号強度が第６の閾値だけサービングセルの信号強度より大きいとき、第１の端末は、第１の測定報告を第２の端末を使用することにより第１の基地局に送信するようトリガされる。
【０１０５】
あるいは、例えば、第１の端末側の測定イベントがＡ４イベントを含む場合、第１のメッセージに基づいて第１の端末により測定される対象は、近隣セルの信号強度である。近隣セルの信号強度が第７の閾値より大きいとき、第１の端末は、第１の測定報告を第２の端末を使用することにより第１の基地局に送信するようトリガされる。
【０１０６】
あるいは、例えば、第１の端末側の測定イベントがＡ５イベントを含む場合、第１のメッセージに基づいて第１の端末により測定される対象は、サービングセルの信号強度及び近隣セルの品質である。サービングセルの信号強度が第８の閾値より小さく、かつ近隣セルの品質が第９の閾値より高いとき、第１の端末は、第１の測定報告を第２の端末を使用することにより第１の基地局に送信するようトリガされる。
【０１０７】
あるいは、例えば、第１の端末側の測定イベントがＢ１イベントを含む場合、第１のメッセージに基づいて第１の端末により測定される対象は、ＲＡＴ間近隣セルの信号強度である。ＲＡＴ間近隣セルの信号強度が第３の閾値よりも大きいとき、第１の端末は、第１の測定報告を第２の端末を使用することにより第１の基地局に送信するようトリガされる。
【０１０８】
あるいは、例えば、第１の端末側の測定イベントがＢ２イベントを含む場合、第１のメッセージに基づいて第１の端末により測定される対象は、サービングセルの信号強度及びＲＡＴ間近隣セルの信号強度である。サービングセルの信号強度が第４の閾値より小さく、かつＲＡＴ間近隣セルの信号強度が第５の閾値より大きいとき、第１の端末は、第１の測定報告を第２の端末を使用することにより第１の基地局に送信するようトリガされる。
【０１０９】
Ｓ５１３．第１の端末が、第１の測定報告を第２の端末を使用することにより第１の基地局に送信する。
【０１１０】
Ｓ５１４．第１の基地局が、第２の端末により送信された第３の測定イベントを受信する。
【０１１１】
Ｓ５１５．第１の基地局が、第３の測定報告に基づいて、第２の端末がハンドオーバされるべき第３の基地局を決定する。
【０１１２】
具体的に、第１の基地局により第３の測定報告に基づいて第３の基地局を決定する具体的な実装については、既存の方式を参照する。本出願のこの実施形態において、詳細はここで説明されない。
【０１１３】
Ｓ５１６．第１の基地局が、第１の測定報告に基づいて、第１の端末に直接接続すべき第２の基地局を決定する。
【０１１４】
例えば、第１の測定報告が第１の測定イベントを含む場合、第１の測定報告に基づいて第１の基地局により決定される、第１の端末に直接接続すべき第２の基地局は、具体的に、第１の基地局であってもよい。
【０１１５】
あるいは、第１の測定報告がＡ３イベント／Ａ４イベント／Ａ５イベントを含む場合、第１の測定報告に基づいて第１の基地局により決定される、第１の端末に直接接続すべき第２の基地局は、具体的に、第１の基地局と同じネットワーク内に位置する基地局であってもよい。例えば、第１の基地局が４Ｇネットワーク内の基地局である場合、第２の基地局は第４Ｇネットワーク内の別の基地局であってもよい。換言すれば、これはネットワーク内ハンドオーバである。第１の基地局により第１の測定報告に基づいて第２の基地局を決定する具体的な実装については、既存の方式を参照する。本出願のこの実施形態において、詳細はここで説明されない。
【０１１６】
あるいは、第１の測定報告がＢ１イベント／Ｂ２イベントを含む場合、第１の測定報告に基づいて第１の基地局により決定される、第１の端末に直接接続すべき第２の基地局は、具体的に、第１の基地局と異なるネットワークに位置する基地局であってもよい。例えば、第１の基地局が第４Ｇネットワーク内の基地局である場合、第２の基地局は２Ｇ又は３Ｇネットワーク内の基地局であってもよい。換言すれば、これはネットワーク間ハンドオーバである。第１の基地局により第１の測定報告に基づいて第２の基地局を決定する具体的な実装については、既存の方式を参照する。本出願のこの実施形態において、詳細はここで説明されない。
【０１１７】
任意で、第２の基地局が第１の基地局と異なるとき、第１の端末がハンドオーバされた後、第１の基地局は、第２の端末のコンテキスト中の第１の端末に関連する内容をさらに削除する。これは、本出願のこの実施形態において具体的に限定されない。
【０１１８】
Ｓ５１７．第１の基地局が、第５のメッセージを第２の端末に送信し、第５のメッセージは、第３の基地局の識別子を搬送し、第１の基地局から第３の基地局にハンドオーバされるよう第２の端末に指示するために使用される。
【０１１９】
任意で、本出願のこの実施形態において、第５のメッセージは、無線リソース制御（radio  resource  control、ＲＲＣ）接続再構成メッセージであってもよい。
【０１２０】
任意で、本出願のこの実施形態において、第１の基地局は、第１の端末に対するリレーサービスの提供を停止するよう第２の端末にさらに指示してもよい。これは、本出願のこの実施形態において具体的に限定されない。
【０１２１】
Ｓ５１８．第２の端末が、第１の基地局により送信された第５のメッセージを受信する。
【０１２２】
Ｓ５１９．第２の端末が、第５のメッセージに基づいて第１の基地局から第３の基地局にハンドオーバされる。
【０１２３】
Ｓ５２０．第１の基地局が、第２のメッセージを第２の端末を使用することにより第１の端末に送信し、第２のメッセージは、第２の基地局の識別子を搬送し、第２の基地局に直接接続するよう第１の端末に指示するために使用される。
【０１２４】
Ｓ５２１．第１の端末が、第２の端末を使用することにより第１の基地局により送信された第２のメッセージを受信する。
【０１２５】
Ｓ５２２．第１の端末が、第２のメッセージに基づいて第２の基地局に直接接続する。
【０１２６】
これまでで、本出願のこの実施形態で提供されるハンドオーバ方法の手順は終了する。
【０１２７】
本出願のこの実施形態において、第２の端末が４Ｇネットワーク又は将来のポスト４Ｇネットワークから３Ｇ又は２Ｇネットワークにハンドオーバされるとき、第１の端末は、第１の端末からの測定報告に基づいて決定された第２の基地局に直接接続して、第１の端末のサービス連続性を確保し得る。これは、第１の基地局が第２の端末からの測定報告に基づいて第１の端末及び第２の端末に対して同じターゲット基地局を選択し、結果として第１の端末がターゲット基地局に在圏することができず、次いで第１の端末のサービスが中断される従来技術とは、異なる。さらに、通常、第２の端末のサービングセルの信号強度が第２の閾値より小さくないとき、ハンドオーバは発生しない。この場合、第１の基地局は、第１の端末が測定報告を報告したとしても、第２の端末からの測定報告に基づいて第１の端末及び第２の端末に対して同じターゲット基地局を通常選択する。したがって、本出願のこの実施形態において、第１の基地局により送信され、かつ第１の端末の測定イベントを構成するために使用されるメッセージを受信した後、第１の端末は、直ちに測定を開始するのでなく、第２の端末のサービングセルの信号強度が第２の閾値より小さいときのみ、すなわち、第２の端末がＡ２イベントを含む第２の測定報告を取得した後に、測定を開始する。このように、第１の端末のシグナリングオーバヘッドが低減され、第１の端末の電力量が節減される。
【０１２８】
ステップＳ５０３、Ｓ５１２、Ｓ５１３、Ｓ５２１、及びＳ５２２における第１の端末の動作は、メモリ３０３に記憶されたアプリケーションプログラムコードを呼び出すことにより、図３に示す端末３０のプロセッサ３０１により実行されてもよい。これは、本出願のこの実施形態において限定されない。
【０１２９】
ステップＳ５０２、Ｓ５０４、Ｓ５１１、Ｓ５０５、Ｓ５０８、Ｓ５１３、Ｓ５１８、Ｓ５１９、及びＳ５２０における第２の端末の動作は、メモリ３０３に記憶されたアプリケーションプログラムコードを呼び出すことにより、図３に示す端末３０のプロセッサ３０１により実行されてもよい。これは、本出願のこの実施形態において限定されない。
【０１３０】
任意で、図６Ａ及び図６Ｂは、本出願の一実施形態による別のハンドオーバ方法の概略フローチャートである。ハンドオーバ方法は、第１の端末、第２の端末、第１の基地局、第２の基地局、及び第３の基地局の間の相互作用に関するものであり、以下のステップを含む。
【０１３１】
Ｓ６０１はＳ５０１と同じであり、したがって詳細はここで再度説明されない。
【０１３２】
Ｓ６０２〜Ｓ６０４はＳ５０４〜Ｓ５０６と同じであり、したがって詳細はここで再度説明されない。
【０１３３】
Ｓ６０５〜Ｓ６０８はＳ５０７〜Ｓ５１０と同じであり、したがって詳細はここで再度説明されない。
【０１３４】
Ｓ６０９．第１の基地局が、第１のメッセージを第２の端末を使用することにより第１の端末に送信し、第１のメッセージは、第１の端末の測定イベントを構成するために使用される。
【０１３５】
第１のメッセージ及び第１の端末の測定イベントに関連する説明については、図５Ａ及び図５Ｂに示す実施形態におけるステップＳ５０２の説明を参照する。詳細はここで再度説明されない。
【０１３６】
本出願のこの実施形態において、ステップＳ６０５及びＳ６０９は一定の順序で実行されないことに留意されたい。ステップＳ６０５がステップＳ６０９の前に実行されてもよく、ステップＳ６０９がステップＳ６０５の前に実行されてもよく、あるいはステップＳ６０５及びＳ６０９は同時に実行されてもよい。これは、本出願のこの実施形態において具体的に限定されない。
【０１３７】
Ｓ６１０．第１の端末が、第２の端末により送信された第１のメッセージを受信し、第１のメッセージに基づいて測定を実行して第１の測定報告を取得し、第１の測定報告は、第１の端末に直接接続すべき第２の基地局を決定するために使用される。
【０１３８】
第１の端末により第１のメッセージに基づいて測定を実行する具体的な実装については、図５Ａ及び図５Ｂに示す実施形態におけるステップＳ５１２の説明を参照する。詳細はここで再度説明されない。
【０１３９】
Ｓ６１１．第１の端末が、第１の測定報告を第２の端末を使用することにより第１の基地局に送信する。
【０１４０】
Ｓ６１２〜Ｓ６２０はＳ５１４〜Ｓ５２２と同じであり、したがって詳細はここで再度説明されない。
【０１４１】
これまでで、本出願のこの実施形態で提供されるハンドオーバ方法の手順は終了する。
【０１４２】
本出願のこの実施形態において、第２の端末が４Ｇネットワーク又は将来のポスト４Ｇネットワークから３Ｇ又は２Ｇネットワークにハンドオーバされるとき、第１の端末は、第１の端末からの測定報告に基づいて決定された第２の基地局に直接接続して、第１の端末のサービス連続性を確保し得る。これは、第１の基地局が第２の端末からの測定報告に基づいて第１の端末及び第２の端末に対して同じターゲット基地局を選択し、結果として第１の端末がターゲット基地局に在圏することができず、次いで第１の端末のサービスが中断される従来技術とは、異なる。さらに、通常、第２の端末のサービングセルの信号強度が第２の閾値より小さくないとき、ハンドオーバは発生しない。この場合、第１の基地局は、第１の端末が測定報告を報告したとしても、第２の端末からの測定報告に基づいて第１の端末及び第２の端末に対して同じターゲット基地局を通常選択する。したがって、本出願のこの実施形態において、第２の端末のサービングセルの信号強度が第２の閾値より小さいときのみ、すなわち、第２の端末がＡ２イベントを含む第２の測定報告を報告した後に、第１の基地局は、第１の端末の測定イベントを構成する。このように、第１の端末のシグナリングオーバヘッドが低減され、第１の端末の電力量が節減される。
【０１４３】
ステップＳ６１０、Ｓ６１１、Ｓ６１９、及びＳ６２０における第１の端末の動作は、メモリ３０３に記憶されたアプリケーションプログラムコードを呼び出すことにより、図３に示す端末３０のプロセッサ３０１により実行されてもよい。これは、本出願のこの実施形態において限定されない。
【０１４４】
ステップＳ６０２、Ｓ６０３、Ｓ６０６、Ｓ６０７、Ｓ６０９、Ｓ６１６、Ｓ６１７、及びＳ６１８における第２の端末の動作は、メモリ３０３に記憶されたアプリケーションプログラムコードを呼び出すことにより、図３に示す端末３０のプロセッサ３０１により実行されてもよい。これは、本出願のこの実施形態において限定されない。
【０１４５】
任意で、図５Ａ及び図５Ｂ、又は図６Ａ及び図６Ｂに示す実施形態において、第１の基地局が、第２の端末が現在音声電話中でない、例えば、ボイスオーバーＬＴＥ（Voice  over  LTE、略称ＶｏＬＴＥ）電話中でないと決定した場合、第１の基地局は、第１の端末に直接接続すべき第２の基地局を第１の測定報告に基づいて決定し、第２の基地局に直接接続するよう第１の端末に指示するために使用される第２のメッセージを第１の端末に送信した後に、第５のメッセージを第２の端末に送信して、第１の基地局から第３の基地局にハンドオーバされるよう第２の端末に指示してもよい。このように、第１の端末は第２の端末がハンドオーバされる前にハンドオーバされないため、第２の端末のハンドオーバプロセスにおける通信が確保できる。
【０１４６】
前述では主に、本出願の実施形態で提供される解決策をネットワーク要素間の相互作用の観点から説明している。前述の機能を実現するために、第１の端末及び第２の端末は該機能を実行するための対応するハードウェア構造及び／又はソフトウェアモジュールを含むことが理解され得る。当業者は、本明細書に開示される実施形態で説明される例と組み合わせて、ユニット及びアルゴリズムステップが本出願におけるハードウェア又はハードウェア及びコンピュータソフトウェアの組み合わせの形式で実現可能であることを容易に認識すべきである。機能がハードウェアにより実行されるか又はコンピュータソフトウェアにより駆動されるハードウェアにより実行されるかは、技術的解決策の特定の適用及び設計制約条件に依存する。当業者は、各特定の適用について説明された機能を実現するために異なる方法を使用し得るが、その実現が本出願の範囲を超えるものと考えられるべきではない。
【０１４７】
本出願の実施形態において、第１の端末及び第２の端末は前述の方法の例に基づいて機能モジュールに分割されてもよい。例えば、各機能モジュールが各対応機能に基づく分割を通じて取得されてもよく、あるいは２つ以上の機能が１つの処理モジュールに統合されてもよい。統合モジュールは、ハードウェアの形式で実現されてもよく、あるいはソフトウェア機能モジュールの形式で実現されてもよい。本出願の実施形態において、モジュール分割は一例であり、単に論理的な機能分割であることに留意されたい。実際の実装の間、別の分割方式が存在し得る。
【０１４８】
例えば、各機能モジュールが各対応機能に基づく分割を通じて取得されるとき、図７は、前述の実施形態に関連する第１の端末７０の可能な概略構造図である。第１の端末７０は、受信モジュール７０１、測定モジュール７０２、送信モジュール７０３、及び接続モジュール７０４を含む。
【０１４９】
受信モジュール７０１は、図４のステップＳ４０２及びＳ４０８を実行する際に、第１の端末７０をサポートするように構成される。測定モジュール７０２は、図４のステップＳ４０３を実行する際に、第１の端末７０をサポートするように構成される。送信モジュール７０３は、図４のステップＳ４０４を実行する際に、第１の端末７０をサポートするように構成される。接続モジュール７０４は、図４のステップＳ４０９を実行する際に、第１の端末７０をサポートするように構成される。
【０１５０】
任意で、受信モジュール７０１は、図５Ａ及び図５ＢのステップＳ５０３、ステップＳ５１２での受信、及びステップＳ５２１を実行する際に、第１の端末７０をサポートするように構成される。測定モジュール７０２は、図５Ａ及び図５ＢのステップＳ５１２で測定を実行する際に、第１の端末７０をサポートするように構成される。送信モジュール７０３は、図５Ａ及び図５ＢのステップＳ５１３を実行する際に、第１の端末７０をサポートするように構成される。接続モジュール７０４は、図５Ａ及び図５ＢのステップＳ５２２を実行する際に、第１の端末７０をサポートするように構成される。
【０１５１】
任意で、受信モジュール７０１は、図６Ａ及び図６ＢのステップＳ６１０及びステップＳ６１９で受信を実行する際に、第１の端末７０をサポートするように構成される。測定モジュール７０２は、図６Ａ及び図６ＢのステップＳ６１０で測定を実行する際に、第１の端末７０をサポートするように構成される。送信モジュール７０３は、図６Ａ及び図６ＢのステップＳ６１１を実行する際に、第１の端末７０をサポートするように構成される。接続モジュール７０４は、図６Ａ及び図６ＢのステップＳ６２０を実行する際に、第１の端末７０をサポートするように構成される。
【０１５２】
前述の方法の実施形態におけるステップに関連するすべての内容は、対応する機能モジュールの機能説明において引用され得る。詳細はここで再度説明されない。
【０１５３】
各機能モジュールが統合方式の分割を通じて取得されるとき、図８は、前述の実施形態に関連する第１の端末８０の可能な概略構造図である。図８に示すように、第１の端末８０は、処理モジュール８０１及び通信モジュール８０２を含む。処理モジュール８０１は、図７の測定モジュール７０２及び接続モジュール７０４の動作を実行するように構成される。通信モジュール８０２は、図７の受信モジュール７０１及び送信モジュール７０３の動作を実行するように構成される。詳細については、図７に示す実施形態を参照する。詳細はここで再度説明されない。
【０１５４】
前述の方法の実施形態におけるステップに関連するすべての内容は、対応する機能モジュールの機能説明において引用され得る。詳細はここで再度説明されない。
【０１５５】
本出願の実施形態において、第１の端末は、各機能モジュールが各対応機能に基づく分割を通じて取得される形式で提示され、あるいは、第１の端末は、各機能モジュールが統合方式の分割を通じて取得される形式で提示される。本明細書における「モジュール」は、特定用途向け集積回路（Application-Specific  Integrated  Circuit、ＡＳＩＣ）、回路、１つ以上のソフトウェア又はファームウェアプログラムを実行するプロセッサ及びメモリ、集積論理回路、及び／又は前述の機能を提供できる他のデバイスであってもよい。簡素な一実施形態において、第１の端末７０又は第１の端末８０が図３に示す形式であってもよいことを当業者は理解し得る。例えば、図７の受信モジュール７０１、測定モジュール７０２、送信モジュール７０３、及び接続モジュール７０４は、図３のプロセッサ３０１及びメモリ３０３により実現されてもよい。具体的に、受信モジュール７０１、測定モジュール７０２、送信モジュール７０３、及び接続モジュール７０４は、メモリ３０３に記憶されたアプリケーションプログラムコードを呼び出すことにより、プロセッサ３０１により実現されてもよい。これは、本出願の実施形態において限定されない。あるいは、例えば、図８の処理モジュール８０１及び通信モジュール８０２は、図３のプロセッサ３０１及びメモリ３０３により実装されてもよい。具体的に、処理モジュール８０１及び通信モジュール８０２は、メモリ３０１に記憶されたアプリケーションプログラムコードを呼び出すことにより、プロセッサ３０３により実現されてもよい。これは、本出願の実施形態において限定されない。
【０１５６】
本出願の実施形態で提供される第１の端末は、前述のハンドオーバ方法を実行するように構成されてもよい。したがって、第１の端末により達成できる技術的効果については、前述の方法の実施形態を参照する。本出願の実施形態において、詳細はここで再度説明されない。
【０１５７】
例えば、各機能モジュールが各対応機能に基づく分割を通じて取得されるとき、図９は、前述の実施形態に関連する第２の端末９０の可能な概略構造図である。第２の端末９０は、受信モジュール９０１及び送信モジュール９０２を含む。
【０１５８】
受信モジュール９０１は、第１の端末により送信された第１の測定報告を受信するように構成され、受信モジュール９０１は、第１の基地局により送信された第２のメッセージを受信するように構成され、第２のメッセージは、第２の基地局の識別子を搬送し、第２の基地局に直接接続するよう第１の端末に指示するために使用される。送信モジュール９０２は、第１のメッセージを第１の端末に送信するように構成され、第１のメッセージは、測定を開始するよう第１の端末に指示するために使用され、送信モジュール９０２は、第１の測定報告を第１の基地局に送信するように構成され、送信モジュール９０２は、第２のメッセージを第１の端末に送信するように構成される。
【０１５９】
任意で、図９に示すように、第２の端末９０は、測定モジュール９０３及びハンドオーバモジュール９０４をさらに含む。受信モジュール９０１は、図５Ａ及び図５ＢのステップＳ５０４での受信、ステップＳ５０８での受信、及びステップＳ５１８を実行する際に、第２の端末９０をサポートするようにさらに構成される。送信モジュール９０２は、図５Ａ及び図５ＢのステップＳ５０２、Ｓ５０５、Ｓ５０９、Ｓ５１１、Ｓ５１３、及びＳ５２０を実行する際に、第２の端末９０をサポートするようにさらに構成される。測定モジュール９０３は、図５Ａ及び図５ＢのステップＳ５０４での測定及びステップＳ５０８での測定を実行する際に、第２の端末９０をサポートするようにさらに構成される。ハンドオーバモジュール９０４は、図５Ａ及び図５ＢのステップＳ５１９を実行する際に、第２の端末９０をサポートするようにさらに構成される。
【０１６０】
任意で、図９に示すように、第２の端末９０は、測定モジュール９０３及びハンドオーバモジュール９０４をさらに含む。受信モジュール９０１は、図６Ａ及び図６ＢのステップＳ６０２での受信、ステップＳ６０６での受信、及びステップＳ６１６を実行する際に、第２の端末９０をサポートするようにさらに構成される。送信モジュール９０２は、図６Ａ及び図６ＢのステップＳ６０３、Ｓ６０７、Ｓ６０９、Ｓ６１１、及びＳ６１８を実行する際に、第２の端末９０をサポートするようにさらに構成される。測定モジュール９０３は、図６Ａ及び図６ＢのステップＳ６０２での測定及びステップＳ６０６での測定を実行する際に、第２の端末９０をサポートするようにさらに構成される。ハンドオーバモジュール９０４は、図６Ａ及び図６ＢのステップＳ６１７を実行する際に、第２の端末９０をサポートするようにさらに構成される。
【０１６１】
前述の方法の実施形態におけるステップに関連するすべての内容は、対応する機能モジュールの機能説明において引用され得る。詳細はここで再度説明されない。
【０１６２】
各機能モジュールが統合方式の分割を通じて取得されるとき、図１０は、前述の実施形態に関連する第２の端末１００の可能な概略構造図である。図１０に示すように、第２の端末１００は、通信モジュール１００１を含む。任意で、第２の端末１００は、処理モジュール１００２を含む。処理モジュール１００２は、図９の測定モジュール９０３及びハンドオーバモジュール９０４の動作を実行するように構成される。通信モジュール１００１は、図９の受信モジュール９０１及び送信モジュール９０２の動作を実行するように構成される。詳細については、図９に示す実施形態を参照する。詳細はここで再度説明されない。
【０１６３】
前述の方法の実施形態におけるステップに関連するすべての内容は、対応する機能モジュールの機能説明において引用され得る。詳細はここで再度説明されない。
【０１６４】
本出願の実施形態において、第２の端末は、各機能モジュールが各対応機能に基づく分割を通じて取得される形式で提示され、あるいは、第２の端末は、各機能モジュールが統合方式の分割を通じて取得される形式で提示される。本明細書における「モジュール」は、特定用途向け集積回路（Application-Specific  Integrated  Circuit、ＡＳＩＣ）、回路、１つ以上のソフトウェア又はファームウェアプログラムを実行するプロセッサ及びメモリ、集積論理回路、及び／又は前述の機能を提供できる他のデバイスであってもよい。簡素な一実施形態において、第２の端末９０又は第２の端末１００が図３に示す形式であってもよいことを当業者は理解し得る。例えば、図９の受信モジュール９０１、測定モジュール９０３、送信モジュール９０２、及びハンドオーバモジュール９０４は、図３のプロセッサ３０１及びメモリ３０３により実現されてもよい。具体的に、受信モジュール９０１、測定モジュール９０３、送信モジュール９０２、及びハンドオーバモジュール９０４は、メモリ３０３に記憶されたアプリケーションプログラムコードを呼び出すことにより、プロセッサ３０１により実現されてもよい。これは、本出願の実施形態において限定されない。あるいは、例えば、図１０の処理モジュール１００２及び通信モジュール１００１は、図３のプロセッサ３０１及びメモリ３０３により実現されてもよい。具体的に、処理モジュール１００２及び通信モジュール１００１は、メモリ３０３に記憶されたアプリケーションプログラムコードを呼び出すことにより、プロセッサ３０１により実現されてもよい。これは、本出願の実施形態において限定されない。
【０１６５】
本出願の実施形態で提供される第２の端末は、前述のハンドオーバ方法を実行するように構成されてもよい。したがって、第２の端末により達成できる技術的効果については、前述の方法の実施形態を参照する。本出願の実施形態において、詳細はここで再度説明されない。
【０１６６】
前述の実施形態の全部又は一部は、ソフトウェア、ハードウェア、ファームウェア、又はこれらの任意の組み合わせにより実現されてもよい。実施形態を実現するためにソフトウェアプログラムが使用されるとき、実施形態の全部又は一部は、コンピュータプログラムプロダクトの形式で実現されてもよい。コンピュータプログラムプロダクトは、１つ以上のコンピュータ命令を含む。コンピュータプログラム命令がロードされ、コンピュータ上で実行されると、本出願の実施形態による手順又は機能の全部又は一部が生成される。コンピュータは、汎用コンピュータ、専用コンピュータ、コンピュータネットワーク、又は他のプログラマブル装置であってもよい。コンピュータ命令は、コンピュータ読取可能記憶媒体に記憶されてもよく、あるいはコンピュータ読取可能記憶媒体から別のコンピュータ読取可能記憶媒体に伝送されてもよい。例えば、コンピュータ命令は、ウェブサイト、コンピュータ、サーバ、又はデータセンタから、有線（例えば、同軸ケーブル、光ファイバ、又はデジタル加入者線（Digital  Subscriber  Line、ＤＳＬ））又は無線（例えば、赤外線、無線、又はマイクロ波）方式で、別のウェブサイト、コンピュータ、サーバ、又はデータセンタに伝送されてもよい。コンピュータ読取可能記憶媒体は、コンピュータによりアクセス可能な任意の使用可能媒体、又は１つ以上の使用可能媒体を統合するサーバ又はデータセンタなどのデータ記憶デバイスであってもよい。使用可能媒体は、磁気媒体（例えば、フロッピーディスク、ハードディスク、又は磁気テープ）、光媒体（例えば、ＤＶＤ）、半導体媒体（例えば、ソリッドステートディスク（Solid  State  Disk、ＳＳＤ））などであってもよい。
【０１６７】
本出願は、実施形態を参照して本明細書で説明されているが、保護を請求する本出願を実現するプロセスにおいて、当業者は、添付の図面、開示された内容、及び別記の特許請求の範囲を参照することにより、開示された実施形態の他の変形を理解し、実現し得る。特許請求の範囲において、語「含む」（comprising）は、他のコンポーネント又はステップを除外せず、「一」又は「１つ」は、「複数」の場合を除外しない。単一のプロセッサ又は他のユニットが、特許請求の範囲に列挙されるいくつかの機能を実現してもよい。いくつかの手段が、互いに異なる従属請求項に記録されるが、これは、これらの手段を組み合わせてより良い効果を生み出せないことを意味するわけではない。
【０１６８】
本出願は、特定の特徴及びその実施形態を参照して説明されているが、明らかに、本出願の主旨及び範囲から逸脱することなく、本出願に対して様々な変更及び組み合わせが行われ得る。対応して、本明細書及び添付の図面は、別記の特許請求の範囲により定義される本出願の単なる例示的な説明であり、本出願の範囲内の変更、変形、組み合わせ、又は均等物のいずれか１つ又はすべてをカバーすると考えられる。明らかに、当業者は、本出願の主旨及び範囲から逸脱することなく、本出願に対して様々な変更及び変形を行うことができる。このように、本出願は、本出願に対するこれらの変更及び変形が本出願の特許請求の範囲及びその均等技術の範囲内に入る限り、これらをカバーすることも意図される。
【図１】
2020508620.tif 000003
【図２】
2020508620.tif 000004
【図３】
2020508620.tif 000005
【図４】
2020508620.tif 000006
【図５Ａ】
2020508620.tif 000007
【図５Ｂ】
2020508620.tif 000008
【図６Ａ】
2020508620.tif 000009
【図６Ｂ】
2020508620.tif 000010
【図７】
2020508620.tif 000011
【図８】
2020508620.tif 000012
【図９】
2020508620.tif 000013
【図１０】
2020508620.tif 000014
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ハンドオーバ方法であって、
第１の端末により、第２の端末により送信された第１のメッセージを受信するステップであり、前記第１のメッセージは、測定を開始するよう前記第１の端末に指示するために使用され、前記第１の端末は、前記第２の端末を使用することにより第１の基地局に接続し、前記第１の基地局は、前記第１の端末及び前記第２の端末に現在サービスしている基地局である、ステップと、
前記第１の端末により、前記第１のメッセージに基づいて測定を実行して第１の測定報告を取得するステップと、
前記第１の端末により、前記第１の測定報告を前記第２の端末を使用することにより前記第１の基地局に送信するステップと、
前記第１の端末により、前記第２の端末を使用することにより前記第１の基地局により送信された第２のメッセージを受信するステップであり、前記第２のメッセージは、第２の基地局の識別子を搬送し、前記第２の基地局に直接接続するよう前記第１の端末に指示するために使用される、ステップと、
前記第１の端末により、前記第２のメッセージに基づいて前記第２の基地局に直接接続するステップと、
を含む方法。
【請求項２】
第１の端末により、前記第２の端末により送信された第１のメッセージを受信するステップの前に、当該方法は、
前記第１の端末により、前記第２の端末を使用することにより前記第１の基地局により送信された第３のメッセージを受信するステップであり、前記第３のメッセージは、前記第１の端末の測定イベントを構成するため、かつ前記第１のメッセージを受信した後に測定を開始するよう前記第１の端末に指示するために使用される、ステップ
をさらに含む、請求項１に記載の方法。
【請求項３】
第１の端末により、第２の端末により送信された第１のメッセージを受信するステップは、
前記第１の端末により、前記第２の端末を使用することにより前記第１の基地局により送信された前記第１のメッセージを受信するステップであり、前記第１のメッセージは、前記第１の端末の測定イベントを構成するために使用される、ステップ
を含む、請求項１に記載の方法。
【請求項４】
前記第１の端末の前記測定イベントは第１の測定イベントを含み、前記第１の測定イベントは、前記第１の端末のサービングセルの信号強度が第１の閾値より大きいことを含み、前記第１の閾値は、前記第１の端末の前記サービングセルへのアクセスが許可される閾値であり、前記第１の測定イベントは、前記第１の測定報告を前記第２の端末を使用することにより前記第１の基地局に送信するよう前記第１の端末をトリガするために使用される、請求項２又は３に記載の方法。
【請求項５】
前記第２の基地局は前記第１の基地局と同じである、請求項４に記載の方法。
【請求項６】
ハンドオーバ方法であって、
第２の端末により、第１のメッセージを第１の端末に送信するステップであり、前記第１のメッセージは、測定を開始するよう前記第１の端末に指示するために使用され、前記第１の端末は、前記第２の端末を使用することにより第１の基地局に接続し、前記第１の基地局は、前記第１の端末及び前記第２の端末に現在サービスしている基地局である、ステップと、
前記第２の端末により、前記第１の端末により送信された第１の測定報告を受信するステップと、
前記第２の端末により、前記第１の測定報告を前記第１の基地局に送信するステップと、
前記第２の端末により、前記第１の基地局により送信された第２のメッセージを受信するステップであり、前記第２のメッセージは、第２の基地局の識別子を搬送し、前記第２の基地局に直接接続するよう前記第１の端末に指示するために使用される、ステップと、
前記第２の端末により、前記第２のメッセージを前記第１の端末に送信するステップと、
を含む方法。
【請求項７】
第２の端末により、第１のメッセージを第１の端末に送信するステップの前に、当該方法は、
前記第２の端末により、前記第１の基地局により送信された第３のメッセージを受信するステップであり、前記第３のメッセージは、前記第１の端末の測定イベントを構成するため、かつ前記第１のメッセージを受信した後に測定を開始するよう前記第１の端末に指示するために使用される、ステップと、
前記第２の端末により、前記第３のメッセージを前記第１の端末に送信するステップと、
をさらに含む、請求項６に記載の方法。
【請求項８】
第２の端末により、第１のメッセージを第１の端末に送信するステップの前に、当該方法は、
前記第２の端末により、前記第１の基地局により送信された第４のメッセージを受信するステップであり、前記第４のメッセージは、第２の測定イベントを構成するために使用され、前記第２の測定イベントは、前記第２の端末のサービングセルの信号強度が第２の閾値より小さいことを含む、ステップと、
前記第２の端末により、前記第４のメッセージに基づいて測定を実行して第２の測定報告を取得するステップであり、前記第２の測定報告は前記第２の測定イベントを含む、ステップと、
をさらに含む、請求項７に記載の方法。
【請求項９】
第２の端末により、第１のメッセージを第１の端末に送信するステップの前に、当該方法は、
前記第２の端末により、前記第１の基地局により送信された前記第１のメッセージを受信するステップであり、前記第１のメッセージは、前記第１の端末の測定イベントを構成するために使用される、ステップ
をさらに含む、請求項６に記載の方法。
【請求項１０】
前記第２の端末により、前記第１の基地局により送信された前記第１のメッセージを受信するステップの前、当該方法は、
前記第２の端末により、前記第１の基地局により送信された第４のメッセージを受信するステップであり、前記第４のメッセージは、第２の測定イベントを構成するために使用され、前記第２の測定イベントは、サービングセルの信号強度が第２の閾値より小さいことを含む、ステップと、
前記第２の端末により、前記第４のメッセージに基づいて測定を実行して第２の測定報告を取得するステップであり、前記第２の測定報告は前記第２の測定イベントを含み、前記第２の測定イベントは、前記第２の測定報告を前記第１の基地局に送信するよう前記第２の端末をトリガするために使用される、ステップと、
をさらに含む、請求項９に記載の方法。
【請求項１１】
前記第１の端末の前記測定イベントは第１の測定イベントを含み、前記第１の測定イベントは、前記第１の端末のサービングセルの信号強度が第１の閾値より大きいことを含み、前記第１の閾値は、前記第１の端末の前記サービングセルへのアクセスが許可される閾値であり、前記第１の測定イベントは、前記第１の測定報告を前記第２の端末を使用することにより前記第１の基地局に送信するよう前記第１の端末をトリガするために使用される、請求項７乃至１０のうちいずれか１項に記載の方法。
【請求項１２】
前記第２の基地局は前記第１の基地局と同じである、請求項１１に記載の方法。
【請求項１３】
前記第２の端末が現在音声電話中でない場合、前記第２の端末により、前記第１の基地局により送信された第２のメッセージを受信するステップの後に、当該方法は、
前記第２の端末により、前記第１の基地局により送信された第５のメッセージを受信するステップであり、前記第５のメッセージは、第３の基地局の識別子を搬送し、前記第１の基地局から前記第３の基地局にハンドオーバされるよう前記第２の端末に指示するために使用される、ステップと、
前記第５のメッセージに基づいて前記第１の基地局から前記第３の基地局に前記第２の端末をハンドオーバするステップと、
をさらに含む、請求項６乃至１２のうちいずれか１項に記載の方法。
【請求項１４】
プロセッサと、メモリと、バスと、通信インターフェースと、を含む第１の端末であって、
前記メモリはコンピュータ実行可能命令を記憶するように構成され、前記プロセッサ及び前記メモリは前記バスを使用することにより接続され、当該第１の端末が動作するとき、前記プロセッサは前記メモリに記憶された前記コンピュータ実行可能命令を実行し、それにより、当該第１の端末は請求項１乃至５のうちいずれか１項に記載のハンドオーバ方法を実行する、第１の端末。
【請求項１５】
プロセッサと、メモリと、バスと、通信インターフェースと、を含む第２の端末であって、
前記メモリはコンピュータ実行可能命令を記憶するように構成され、前記プロセッサ及び前記メモリは前記バスを使用することにより接続され、当該第２の端末が動作するとき、前記プロセッサは前記メモリに記憶された前記コンピュータ実行可能命令を実行し、それにより、当該第２の端末は請求項６乃至１３のうちいずれか１項に記載のハンドオーバ方法を実行する、第２の端末。
【手続補正２】
【補正対象書類名】明細書
【補正対象項目名】０１６８
【補正方法】削除
【補正の内容】
【国際調査報告】
2020508620.tif 000015
2020508620.tif 000016
2020508620.tif 000017
2020508620.tif 000018